(57)【特許請求の範囲】
【請求項１】
食物や飲料物の商品に関連する商品関連情報を管理する商品関連情報管理サーバであって、
消費者が使用する消費者端末からの依頼に応じて商品関連情報を提供する商品関連情報提供手段と、
提供した商品関連情報が示す商品の質問を含む質問情報を受け付ける商品質問情報受付手段と、
受け付けた質問情報が示す商品の質問を、当該商品の商品メーカが使用する商品メーカ端末からの依頼に応じて提示する商品質問情報提示手段と、
前記商品メーカ端末に提示した商品の質問に対する回答を含む回答情報を、当該商品メーカ端末から受け付ける回答情報受付手段と、
商品の質問と該質問に対する回答とを含む前記回答情報を記憶する回答情報記憶手段と、
消費者端末からの依頼に応じて、前記回答情報記憶手段に記憶されている回答情報に含まれている商品の質問を当該商品の問題として出題するための商品問題出題画面を生成し、生成した商品問題出題画面を提供する商品問題出題画面提供手段と、
前記商品問題出題画面を提供した消費者端末から当該商品問題出題画面により出題した商品の問題の答案を受け付ける答案受付手段と、
受け付けた答案と正解とを照合し、答案が正解であるか否かを判定する正解判定手段と、
正解であると判定したことに応じて、前記商品問題出題画面を提供した消費者端末を使用する消費者に特典を付与する特典付与手段とを含む
ことを特徴とする商品関連情報管理サーバ。
【請求項２】
前記回答情報は、質問をした消費者を特定可能な消費者コードを含み、
前記商品問題出題画面提供手段は、消費者端末からの消費者コードを提示した依頼に応じて、前記回答情報記憶手段に記憶されている回答情報のうち、提示された消費者コードを含む回答情報以外の回答情報を選択し、選択した回答情報に含まれている商品の質問を当該商品の問題として出題するための商品問題出題画面を生成する
請求項１記載の商品関連情報管理サーバ。
【請求項３】
前記回答情報は、問題として出題した消費者を特定可能な出題済消費者情報を含み、
前記商品問題出題画面提供手段は、消費者端末からの消費者コードを提示した依頼に応じて、前記回答情報記憶手段に記憶されている回答情報のうち、提示された消費者コードを出題済消費者情報に含む回答情報以外の回答情報を選択し、選択した回答情報に含まれている商品の質問を当該商品の問題として出題するための商品問題出題画面を生成する
請求項１または請求項２記載の商品関連情報管理サーバ。
【請求項４】
前記特典付与手段は、問題の正解数に応じたポイント数のポイントを特典として付与し、特典の付与対象の消費者に対応付けされているポイント数を更新する処理を行う
請求項１から請求項３のうちいずれかに記載の商品関連情報管理サーバ。
【請求項５】
前記特典付与手段は、正解した問題に応じて予め定められているポイント数のポイントを特典として付与し、特典の付与対象の消費者に対応付けされているポイント数を更新する処理を行う
請求項１から請求項４のうちいずれかに記載の商品関連情報管理サーバ。
【請求項６】
前記商品問題出題画面は、出題対象の商品の商品関連情報を表示する商品関連情報表示領域と、当該商品について受け付けた質問を問題として表示する問題表示領域と、当該商品の問題の答案を入力する答案入力領域とを含む
請求項１から請求項５のうちいずれかに記載の商品関連情報管理サーバ。
【請求項７】
前記商品問題出題画面は、出題対象の商品の商品関連情報を表示する商品関連情報表示領域と、当該商品について受け付けた質問を問題として表示する問題表示領域と、当該商品の問題の正解を含む複数の答案候補を表示する答案候補表示領域とを含み、
前記答案受付手段は、前記複数の答案候補の中から選択された選択候補を商品の問題の答案として受け付ける
請求項１から請求項５のうちいずれかに記載の商品関連情報管理サーバ。
【請求項８】
前記正解判定手段は、受け付けた答案と正解との適合率が所定値以上であったときに、答案が正解であると判定する
請求項１から請求項６のうちいずれかに記載の商品関連情報管理サーバ。
【請求項９】
前記正解判定手段は、受け付けた答案と正解とが一致していたときに、答案が正解であると判定する
請求項１から請求項７のうちいずれかに記載の商品関連情報管理サーバ。
【請求項１０】
消費者が使用する消費者端末と、商品メーカが使用する商品メーカ端末と、食物や飲料物の商品に関連する商品関連情報を管理する商品関連情報管理サーバとを含む商品関連情報管理システムであって、
前記商品関連情報管理サーバは、
消費者が使用する消費者端末からの依頼に応じて商品関連情報を提供する商品関連情報提供手段と、
提供した商品関連情報が示す商品の質問を含む質問情報を受け付ける商品質問情報受付手段と、
受け付けた質問情報が示す商品の質問を、当該商品の商品メーカが使用する商品メーカ端末からの依頼に応じて提示する商品質問情報提示手段と、
前記商品メーカ端末に提示した商品の質問に対する回答を含む回答情報を、当該商品メーカ端末から受け付ける回答情報受付手段と、
商品の質問と該質問に対する回答とを含む前記回答情報を記憶する回答情報記憶手段と、
消費者端末からの依頼に応じて、前記回答情報記憶手段に記憶されている回答情報に含まれている商品の質問を当該商品の問題として出題するための商品問題出題画面を生成し、生成した商品問題出題画面を提供する商品問題出題画面提供手段と、
前記商品問題出題画面を提供した消費者端末から当該商品問題出題画面により出題した商品の問題の答案を受け付ける答案受付手段と、
受け付けた答案と正解とを照合し、答案が正解であるか否かを判定する正解判定手段と、
正解であると判定したことに応じて、前記商品問題出題画面を提供した消費者端末を使用する消費者に特典を付与する特典付与手段とを含む
ことを特徴とする商品関連情報管理システム。
【請求項１１】
前記回答情報は、質問をした消費者を特定可能な消費者コードを含み、
前記商品問題出題画面提供手段は、消費者端末からの消費者コードを提示した依頼に応じて、前記回答情報記憶手段に記憶されている回答情報のうち、提示された消費者コードを含む回答情報以外の回答情報を選択し、選択した回答情報に含まれている商品の質問を当該商品の問題として出題するための商品問題出題画面を生成する
請求項１０記載の商品関連情報管理システム。
【請求項１２】
前記回答情報は、問題として出題した消費者を特定可能な出題済消費者情報を含み、
前記商品問題出題画面提供手段は、消費者端末からの消費者コードを提示した依頼に応じて、前記回答情報記憶手段に記憶されている回答情報のうち、提示された消費者コードを出題済消費者情報に含む回答情報以外の回答情報を選択し、選択した回答情報に含まれている商品の質問を当該商品の問題として出題するための商品問題出題画面を生成する
請求項１０または請求項１１記載の商品関連情報管理システム。
【請求項１３】
前記特典付与手段は、問題の正解数に応じたポイント数のポイントを特典として付与し、特典の付与対象の消費者に対応付けされているポイント数を更新する処理を行う
請求項１０から請求項１２のうちいずれかに記載の商品関連情報管理システム。
【請求項１４】
前記特典付与手段は、正解した問題に応じて予め定められているポイント数のポイントを特典として付与し、特典の付与対象の消費者に対応付けされているポイント数を更新する処理を行う
請求項１０から請求項１３のうちいずれかに記載の商品関連情報管理システム。
【請求項１５】
前記商品問題出題画面は、出題対象の商品の商品関連情報を表示する商品関連情報表示領域と、当該商品について受け付けた質問を問題として表示する問題表示領域と、当該商品の問題の答案を入力する答案入力領域とを含む
請求項１０から請求項１４のうちいずれかに記載の商品関連情報管理システム。
【請求項１６】
前記商品問題出題画面は、出題対象の商品の商品関連情報を表示する商品関連情報表示領域と、当該商品について受け付けた質問を問題として表示する問題表示領域と、当該商品の問題の正解を含む複数の答案候補を表示する答案候補表示領域とを含み、
前記答案受付手段は、前記複数の答案候補の中から選択された選択候補を商品の問題の答案として受け付ける
請求項１０から請求項１４のうちいずれかに記載の商品関連情報管理システム。
【請求項１７】
前記正解判定手段は、受け付けた答案と正解との適合率が所定値以上であったときに、答案が正解であると判定する
請求項１０から請求項１５のうちいずれかに記載の商品関連情報管理システム。
【請求項１８】
前記正解判定手段は、受け付けた答案と正解とが一致していたときに、答案が正解であると判定する
請求項１０から請求項１６のうちいずれかに記載の商品関連情報管理システム。
【発明の詳細な説明】
【技術分野】
【０００１】
本発明は、食物や飲料物の商品に関連する商品関連情報を管理する商品関連情報管理サーバで、及び当該サーバを含む商品関連情報管理システムに関する。
【背景技術】
【０００２】
従来から、食品や飲料物などの商品についての生産履歴などの情報を消費者に提供するシステムが提案されている。特許文献１には、消費者からの商品に関する履歴等の問い合わせに対して、履歴情報を検索して消費者に提供する食品情報提供システムが開示されている。また、特許文献２には、生産者によって登録された食品情報を消費者に提供する商品情報開示システムが開示されている。
【０００３】
【特許文献１】特開２００２−２９７７００号公報
【特許文献２】特開２００２−３６６６２４号公報
【発明の開示】
【発明が解決しようとする課題】
【０００４】
しかしながら、上述した従来のシステムでは、商品に関連する商品関連情報を提供するものに過ぎず、消費者にとっての利用価値が限定的なものとなってしまっているという問題があった。商品関連情報を提供するシステムが多くの消費者に利用されるようになるために、単に商品関連情報を提供するだけでなく、消費者のシステム利用意欲を高めることができるような仕組みが望まれている。
【０００５】
本発明は、上述した問題を解消し、食品などの商品に関連する商品関連情報を提供するシステムの消費者の利用意欲を高めることができるようにすることを目的とする。
【課題を解決するための手段】
【０００６】
本発明の商品関連情報管理サーバは、食物や飲料物の商品に関連する商品関連情報を管理する商品関連情報管理サーバであって、消費者が使用する消費者端末からの依頼に応じて商品関連情報を提供する商品関連情報提供手段と、提供した商品関連情報が示す商品の質問を含む質問情報を受け付ける商品質問情報受付手段と、受け付けた質問情報が示す商品の質問を、当該商品の商品メーカが使用する商品メーカ端末からの依頼に応じて提示する商品質問情報提示手段と、前記商品メーカ端末に提示した商品の質問に対する回答を含む回答情報を、当該商品メーカ端末から受け付ける回答情報受付手段と、商品の質問と該質問に対する回答とを含む前記回答情報を記憶する回答情報記憶手段と、消費者端末からの依頼に応じて、前記回答情報記憶手段に記憶されている回答情報に含まれている商品の質問を当該商品の問題として出題するための商品問題出題画面を生成し、生成した商品問題出題画面を提供する商品問題出題画面提供手段と、前記商品問題出題画面を提供した消費者端末から当該商品問題出題画面により出題した商品の問題の答案を受け付ける答案受付手段と、受け付けた答案と正解とを照合し、答案が正解であるか否かを判定する正解判定手段と、正解であると判定したことに応じて、前記商品問題出題画面を提供した消費者端末を使用する消費者に特典を付与する特典付与手段とを含むことを特徴とする。
【０００７】
上記のように構成したことで、食品などの商品に関連する商品関連情報を提供するシステムの消費者の利用意欲を高めることができるようになる。
【０００８】
前記回答情報は、質問をした消費者を特定可能な消費者コードを含み、前記商品問題出題画面提供手段は、消費者端末からの消費者コードを提示した依頼に応じて、前記回答情報記憶手段に記憶されている回答情報のうち、提示された消費者コードを含む回答情報以外の回答情報を選択し、選択した回答情報に含まれている商品の質問を当該商品の問題として出題するための商品問題出題画面を生成する構成とされていてもよい。
【０００９】
前記回答情報は、問題として出題した消費者を特定可能な出題済消費者情報を含み、前記商品問題出題画面提供手段は、消費者端末からの消費者コードを提示した依頼に応じて、前記回答情報記憶手段に記憶されている回答情報のうち、提示された消費者コードを出題済消費者情報に含む回答情報以外の回答情報を選択し、選択した回答情報に含まれている商品の質問を当該商品の問題として出題するための商品問題出題画面を生成する構成とされていてもよい。
【００１０】
前記特典付与手段は、問題の正解数に応じたポイント数のポイントを特典として付与し、特典の付与対象の消費者に対応付けされているポイント数を更新する処理を行う構成とされていてもよい。
【００１１】
前記特典付与手段は、正解した問題に応じて予め定められているポイント数のポイントを特典として付与し、特典の付与対象の消費者に対応付けされているポイント数を更新する処理を行う構成とされていてもよい。
【００１２】
前記商品問題出題画面は、出題対象の商品の商品関連情報を表示する商品関連情報表示領域と、当該商品について受け付けた質問を問題として表示する問題表示領域と、当該商品の問題の答案を入力する答案入力領域とを含む構成とされていてもよい。
【００１３】
前記商品問題出題画面は、出題対象の商品の商品関連情報を表示する商品関連情報表示領域と、当該商品について受け付けた質問を問題として表示する問題表示領域と、当該商品の問題の正解を含む複数の答案候補を表示する答案候補表示領域とを含み、前記答案受付手段は、前記複数の答案候補の中から選択された選択候補を商品の問題の答案として受け付ける構成とされていてもよい。
【００１４】
前記正解判定手段は、受け付けた答案と正解との適合率が所定値以上であったときに、答案が正解であると判定する構成とされていてもよい。
【００１５】
前記正解判定手段は、受け付けた答案と正解とが一致していたときに、答案が正解であると判定する構成とされていてもよい。
【００１６】
また、本発明の商品関連情報管理システムは、消費者が使用する消費者端末と、商品メーカが使用する商品メーカ端末と、食物や飲料物の商品に関連する商品関連情報を管理する商品関連情報管理サーバとを含む商品関連情報管理システムであって、前記商品関連情報管理サーバは、消費者が使用する消費者端末からの依頼に応じて商品関連情報を提供する商品関連情報提供手段と、提供した商品関連情報が示す商品の質問を含む質問情報を受け付ける商品質問情報受付手段と、受け付けた質問情報が示す商品の質問を、当該商品の商品メーカが使用する商品メーカ端末からの依頼に応じて提示する商品質問情報提示手段と、前記商品メーカ端末に提示した商品の質問に対する回答を含む回答情報を、当該商品メーカ端末から受け付ける回答情報受付手段と、商品の質問と該質問に対する回答とを含む前記回答情報を記憶する回答情報記憶手段と、消費者端末からの依頼に応じて、前記回答情報記憶手段に記憶されている回答情報に含まれている商品の質問を当該商品の問題として出題するための商品問題出題画面を生成し、生成した商品問題出題画面を提供する商品問題出題画面提供手段と、前記商品問題出題画面を提供した消費者端末から当該商品問題出題画面により出題した商品の問題の答案を受け付ける答案受付手段と、受け付けた答案と正解とを照合し、答案が正解であるか否かを判定する正解判定手段と、正解であると判定したことに応じて、前記商品問題出題画面を提供した消費者端末を使用する消費者に特典を付与する特典付与手段とを含むことを特徴とする。
【発明の効果】
【００１７】
本発明によれば、食品などの商品に関連する商品関連情報を提供するシステムの消費者の利用意欲を高めることができるようになる。
【発明を実施するための最良の形態】
【００１８】
以下、本発明の一実施の形態について図面を参照して説明する。
図１は、本発明の一実施の形態に係る商品関連情報管理システム１００の構成の例を示すブロック図である。図１に示すように、商品関連情報管理システム１００は、商品関連情報管理サーバ１０と、消費者端末２１〜２Ｎ（Ｎ＝１，２、・・・）と、商品メーカ端末３１〜３Ｎ（Ｎ＝１，２、・・・）とを含む。商品関連情報管理サーバ１０、消費者端末２１〜２Ｎ、および商品メーカ端末３１〜３Ｎは、それぞれ、例えばインターネットなどの通信ネットワーク４０に接続されている。
【００１９】
商品関連情報管理サーバ１０は、ＷＷＷサーバなどの情報処理装置によって構成される。消費者端末２１〜２Ｎ、および商品メーカ端末３１〜３Ｎは、それぞれ、パーソナルコンピュータなどの情報処理装置によって構成される。
【００２０】
商品関連情報管理サーバ１０は、例えば商品関連情報管理システム１００のシステム管理者によって管理されるサーバであり、商品関連情報の提供、商品質問情報の収集、メーカ回答情報の収集、商品問題の提供などの各種の処理を実行する機能を有する。
【００２１】
商品関連情報管理サーバ１０は、各商品の名称や生産履歴などの商品に関連する商品関連情報が格納される商品関連情報格納ＤＢ１１を備えている。「商品関連情報」は、商品に関連する各種の情報であって、例えば図２に示すように、該当する商品の商品名、その商品を一意に特定可能な商品コード、その商品を生産・製造した商品メーカ、その商品における材料や分量、その商品の生産履歴や流通履歴を示す履歴情報などを含む。この商品関連情報は、各商品について商品メーカなどによってあらかじめ作成されて商品関連情報格納ＤＢ１１に蓄積される。図２に示す情報の他、商品の外観写真、発売日、販売地域、販売実績、賞味期限などが商品関連情報に含まれていてもよい。なお、商品関連情報格納ＤＢ１１は、商品関連情報管理サーバ１０の内部にあっても外部にあってもよい。
【００２２】
また、商品関連情報管理サーバ１０は、各商品についての質問を示す商品質問情報（図６参照）が格納される商品質問情報格納ＤＢ１２を備えている。この商品質問情報は、本例では、消費者端末２１〜２Ｎから収集されて、商品質問情報格納ＤＢ１２に蓄積される。なお、商品質問情報格納ＤＢ１２は、商品関連情報管理サーバ１０の内部にあっても外部にあってもよい。
【００２３】
さらに、商品関連情報管理サーバ１０は、各商品についての質問の回答を示すメーカ回答情報（図１０参照）が格納されるメーカ回答情報格納ＤＢ１３を備えている。このメーカ回答情報は、本例では、商品メーカ端末３１〜３Ｎから収集されて、メーカ回答情報格納ＤＢ１３に蓄積される。なお、メーカ回答情報格納ＤＢ１３は、商品関連情報管理サーバ１０の内部にあっても外部にあってもよい。
【００２４】
消費者端末２１〜２Ｎは、それぞれ、消費者によって管理される端末装置である。また、商品メーカ端末３１〜３Ｎは、それぞれ、食品や飲料品などの商品を製造・生産する商品メーカによって管理される端末装置である。
【００２５】
次に、本例の商品関連情報管理システム１００の動作について説明する。
図３は、本例の商品関連情報管理システム１００における商品関連情報提供処理の例を示すフローチャートである。この商品関連情報提供処理は、商品質問情報を収集する商品質問情報収集処理を含む。ここでは、消費者Ｘが操作する消費者端末２１からの依頼に応じて商品関連情報を提供し、消費者Ｘによって入力された消費者端末２１からの商品質問情報を取得する場合を例に説明する。
【００２６】
商品関連情報提供処理において、先ず、消費者端末２１は、消費者Ｘの操作に応じて、商品関連情報管理サーバ１０にアクセスし（具体的には、商品関連情報管理サーバ１０が開設している商品関連情報閲覧サイトにアクセスする。）、あらかじめ消費者Ｘに付与されている消費者ＩＤを提示して、商品関連情報の提供依頼を行う（ステップＳ１０１）。消費者ＩＤは、各消費者を一意に特定可能な識別コードである。
【００２７】
商品関連情報管理サーバ１０は、商品関連情報の提供依頼を受けると、商品関連情報閲覧画面を生成し、消費者端末２１に対して送信する（ステップＳ１０２）。
【００２８】
商品関連情報管理サーバ１０からの商品関連情報閲覧画面を受信すると（ステップＳ１０３）、消費者端末２１は、受信した商品関連情報閲覧画面を自己が備える表示装置に表示する（ステップＳ１０４）。
【００２９】
商品関連情報閲覧画面には、例えば図４に示すように、消費者ＩＤを表示する消費者ＩＤ表示領域１０１と、商品関連情報表示領域１０２と、商品質問入力領域１０３と、商品質問情報を送信する際に押下される送信ボタン１０４と、別の商品についての商品関連情報を表示させる場合に押下される次へボタン１０５と、商品関連情報の閲覧を終了するときに押下される終了ボタン１０６とが設けられている。
【００３０】
本例では、商品関連情報表示領域１０２に、商品関連情報として、該当商品の商品コードと、商品名と、商品メーカと、該当商品の材料／分量と、該当商品の仕様とが表示される。
【００３１】
消費者端末２１は、次へボタン１０５が押下されると、商品関連情報管理サーバ１０から別の商品の商品関連情報を取得して、取得した商品関連情報を商品関連情報表示領域１０２に表示させる。なお、ステップＳ１０１にて商品コードを提示することとし、消費者Ｘによって提示された商品コードが示す商品の商品関連情報が商品関連情報表示領域１０２に表示されるようにしてもよい。この場合、消費者Ｘは、例えば購入した商品や商品の包装に貼付されている商品ラベルに掲載されている商品コードを提示するようにすればよい。
【００３２】
消費者Ｘは、次へボタン１０５を押下していくことで商品関連情報表示領域１０２に表示されている商品関連情報を順次閲覧し、閲覧している商品について商品メーカ側に質問がある場合には、商品質問入力領域１０３に質問を入力する。ここでは、例えば図５に示すように、商品名「弁当Ａ」についての質問として、「鶏肉の唐揚を作るときは何の油を使っていますか？」が入力されたものとする。
【００３３】
消費者端末２１は、消費者Ｘによって入力された質問を受け付けて、入力された質問を商品質問入力領域１０３に表示する（ステップＳ１０５）。そして、送信ボタン１０４が押下されると、消費者端末２１は、商品質問入力領域１０３に入力された質問を含む商品質問情報（質問内容、質問対象商品の商品コード、質問者である消費者の消費者コードなどを含む情報）を商品関連情報管理サーバ１０に送信する。
【００３４】
商品関連情報管理サーバ１０は、商品質問情報を受信すると（ステップＳ１０７）、受信した商品質問情報を商品質問情報格納ＤＢ１２に保存する（ステップＳ１０８）。
【００３５】
図６は、商品質問情報の例を示す説明図である。商品質問情報は、ある商品についての質問内容を特定可能な情報であって、商品の商品名、その商品に付与されている商品コード、その商品を生産・製造した商品メーカ、その商品について質問をした消費者を示す質問者、質問内容などが対応付けされた情報である。
【００３６】
上記のようにして、商品関連情報管理サーバ１０は、各消費者から商品質問情報を収集し、商品質問情報格納ＤＢ１２に保存する。
【００３７】
図７は、本例の商品関連情報管理システム１００におけるメーカ回答情報収集処理の例を示すフローチャートである。ここでは、商品メーカＰの担当者Ｑが操作する商品メーカ端末３１から商品メーカＰが製造・生産している商品についての質問の回答を示すメーカ回答情報を取得する場合を例に説明する。
【００３８】
メーカ回答情報収集処理において、先ず、商品メーカ端末３１は、担当者Ｑの操作に応じて、商品関連情報管理サーバ１０にアクセスし（具体的には、商品関連情報管理サーバ１０が開設しているメーカ回答情報収集サイトにアクセスする。）、あらかじめ商品メーカＰに付与されている商品メーカコードを提示して、回答入力画面の提供依頼を行う（ステップＳ２０１）。商品メーカコードは、各商品メーカを一意に特定可能な識別コードである。
【００３９】
商品関連情報管理サーバ１０は、回答入力画面の提供依頼を受けると、提示されていた商品メーカコードが示す商品メーカＰが製造・生産している商品についての未回答の質問が掲載された回答入力画面を生成し、商品メーカ端末３１に対して送信する（ステップＳ２０２）。すなわち、ステップＳ２０２では、各商品メーカ毎の回答入力画面が生成されて、該当する商品メーカに対して提供される。
【００４０】
商品関連情報管理サーバ１０からの回答入力画面を受信すると（ステップＳ２０３）、商品メーカ端末３１は、受信した回答入力画面を自己が備える表示装置に表示する（ステップＳ２０４）。
【００４１】
回答入力画面には、例えば図８に示すように、対象となる商品メーカＰの名称（ここでは小売店Ａ）を表示するメーカ表示領域２０１と、質問内容表示・回答入力領域２０２と、回答の入力を終了するときに押下される終了ボタン２０３とが設けられている。なお、メーカ表示領域２０１には、対象となる商品メーカＰの商品メーカコードが表示されるようにしてもよい。
【００４２】
質問内容表示・回答入力領域２０２には、質問の対象となった商品の商品関連情報の一部または全部や、質問者が表示される質問付随情報表示領域２０２ａと、質問の内容が表示される質問表示領域２０２ｂと、質問に対する回答を入力する回答入力領域２０２ｃとが設けられている。
【００４３】
ここでは、図８に示すように、質問付随情報表示領域２０２ａに、質問の対象となった商品の商品コードと、その商品の商品名と、該当する質問をした質問者である消費者の消費者コードとが表示される。
【００４４】
商品メーカＰ（小売店Ａ）の担当者Ｑは、質問付随情報表示領域２０２ａに表示されている商品について、質問表示領域２０２ｂに表示されている質問内容を検討し、回答入力領域２０２ｃに質問の回答を入力する。図８では１つの商品についての質問のみが表示されているが、商品メーカＰの商品についての未回答の質問が複数表示されていてもよい。この場合、担当者Ｑは、各質問の回答を順次入力していく。ここでは、商品名「弁当Ａ」についての「鶏肉の唐揚を作るときは何の油を使っていますか？」という質問の回答として、例えば図９に示すように、例えば「○○社の△△油」が入力されたものとする。
【００４５】
商品メーカ端末３１は、担当者Ｑによって入力された回答を受け付けて、入力された回答を回答入力領域２０２ｃに表示する（ステップＳ２０５）。そして、終了ボタン２０３が押下されると、商品メーカ端末３１は、回答入力領域２０２ｃに入力された回答の内容を含むメーカ回答情報を商品関連情報管理サーバ１０に送信する（ステップＳ２０６）。なお、各質問を一意に特定するためのコード（質問コード）を付与しておくこととし、メーカ回答情報に該当する質問の質問コードを含むようにしてもよい。
【００４６】
商品関連情報管理サーバ１０は、メーカ回答情報を受信すると（ステップＳ２０７）、受信したメーカ回答情報をメーカ回答情報格納ＤＢ１３に保存する（ステップＳ２０８）。そして、商品関連情報管理サーバ１０は、回答が得られた質問を含む商品質問情報を、商品質問情報格納ＤＢ１２から削除する（ステップＳ２０９）。ステップＳ２０９にて回答が得られた質問は商品質問情報格納ＤＢ１２から削除されるので、ステップＳ２０２にて回答入力画面を生成する際には、該当する商品メーカの商品の質問の全てを含めるようにすればよい。
【００４７】
図１０は、メーカ回答情報の例を示す説明図である。メーカ回答情報は、商品質問情報に回答内容を付加した情報であって、商品の商品名、その商品に付与されている商品コード、その商品を生産・製造した商品メーカ、その商品について質問をした消費者を示す質問者、質問内容、質問に対する回答内容などが対応付けされた情報である。
【００４８】
上記のようにして、商品関連情報管理サーバ１０は、各商品メーカから質問に対する回答を収集し、メーカ回答情報をメーカ回答情報格納ＤＢ１３に保存する。
【００４９】
図１１は、本例の商品関連情報管理システム１００における商品問題提供処理の例を示すフローチャートである。ここでは、消費者Ｚが操作する消費者端末２２からの依頼に応じて商品問題を提供する場合を例に説明する。
【００５０】
商品問題提供処理において、先ず、消費者端末２２は、消費者Ｚの操作に応じて、商品関連情報管理サーバ１０にアクセスし（具体的には、商品関連情報管理サーバ１０が開設している商品問題提供サイトにアクセスする。）、あらかじめ消費者Ｚに付与されている消費者コードを提示して、商品問題出題画面の提供依頼を行う（ステップＳ３０１）。
【００５１】
商品関連情報管理サーバ１０は、商品問題出題画面の提供依頼を受けると、提示されていた消費者コードが示す消費者Ｚ以外の消費者による質問であって、消費者Ｚによって未だ回答されていない質問を含むメーカ回答情報のうち、所定数（例えば１個、５個、１０個）のメーカ回答情報をメーカ回答情報格納ＤＢ１３から抽出し、抽出したメーカ回答情報に含まれている質問を問題とした商品問題出題画面を生成し、消費者端末２２に対して送信する（ステップＳ３０２）。すなわち、ステップＳ３０２では、消費者Ｚ以外の消費者による質問であり、かつ消費者Ｚにより未だ回答されていない質問を問題とした商品問題出題画面が生成されて、消費者Ｚに対して提供される。
【００５２】
ステップＳ３０２では、商品関連情報管理サーバ１０は、メーカ回答情報格納ＤＢ１３に格納されているメーカ回答情報のうち、質問者として消費者Ｚを示す消費者コードが対応つけされているものと、出題済消費者に消費者Ｚが含まれているもの以外のメーカ回答情報から任意に選択し、選択したメーカ回答情報に対応付けされている質問を問題とすることに決定する。
【００５３】
商品関連情報管理サーバ１０からの商品問題出題画面を受信すると（ステップＳ３０３）、消費者端末２２は、受信した商品問題出題画面を自己が備える表示装置に表示する（ステップＳ３０４）。
【００５４】
商品問題出題画面には、例えば図１２に示すように、問題の回答者となる消費者Ｚを示す消費者ＩＤ（消費者コード）を表示する消費者ＩＤ表示領域３０１と、問題が表示されるとともに答案を受け付ける問題表示・答案入力領域３０２と、答案の入力が終了したときに押下される終了ボタン３０３とが設けられている。
【００５５】
問題表示・答案入力領域３０２には、問題の対象となった商品の商品関連情報の一部または全部が表示される問題付随情報表示領域３０２ａと、問題の内容が表示される問題表示領域３０２ｂと、問題の答案を入力する答案入力領域３０２ｃとが設けられている。
【００５６】
ここでは、図１２に示すように、問題付随情報表示領域３０２ａに、問題の対象となった商品の商品コードと、その商品の商品名と、その商品の商品メーカとが表示される。
【００５７】
消費者Ｚは、問題付随情報表示領域３０２ａに表示されている商品について、問題表示領域３０２ｂに表示されている問題を検討し、答案入力領域３０２ｃに問題の答案を入力する。図１２では１つの商品についての問題のみが表示されているが、消費者Ｚによって未だ回答されていない問題が複数表示されていてもよい。この場合、消費者Ｚは、各問題の答案を順次入力していく。ここでは、商品名「弁当Ａ」についての「鶏肉の唐揚を作るときは何の油を使っていますか？」という問題の答案として、例えば図１３に示すように、例えば「○○社の△△油」が入力されたものとする。
【００５８】
消費者端末２２は、消費者Ｚによって入力された答案を受け付けて、入力された答案を答案入力領域３０２ｃに表示する（ステップＳ３０５）。そして、終了ボタン３０３が押下されると、消費者端末２２は、答案入力領域３０２ｃに入力された答案の内容を含む消費者答案情報を商品関連情報管理サーバ１０に送信する（ステップＳ３０６）。なお、各問題を一意に特定するためのコード（問題コード）を付与しておくこととし、消費者答案情報に該当する問題の問題コードを含むようにしてもよい。
【００５９】
商品関連情報管理サーバ１０は、消費者答案情報を受信すると（ステップＳ３０７）、受信した消費者答案情報が示す答案を正解と照合し、答案が正解であるか否かを判定する（ステップＳ３０８）。そして、商品関連情報管理サーバ１０は、正解数や正解した問題に応じて、回答者である消費者Ｚに対して所定のポイントを付与する（ステップＳ３０９）。このポイントは、例えば、所定の店舗でポイント数に応じた値段の商品が購入できたり、所定の店舗でポイント数に応じた商品と交換できるなど、所定の特典が受けられるものであるものとする。ステップＳ３０９では、商品関連情報管理サーバ１０は、自己が備えるポイント管理ＤＢ（図示せず）に格納されているポイント管理情報における消費者Ｚのポイントを更新する。ステップＳ３０９で付与されるポイント数は、例えば、正解１問毎あるいは各問題毎にあらかじめ定められているものとする。各問題毎に定める場合には、難易度の高い問題（例えば正解率が２割以下）のポイント数が多くなるようにしてもよい。
【００６０】
ポイントを付与すると、商品関連情報管理サーバ１０は、今回出題した問題が消費者Ｚに出題済であることを記録しておくために、出題された問題に該当するメーカ回答情報を更新する（ステップＳ３１０）。ステップＳ３１０では、出題に用いられたメーカ回答情報に対応付けされている出題済消費者に、消費者Ｚを追加する処理が実行される。
【００６１】
上記のようにして、商品関連情報管理サーバ１０は、各消費者に対して商品問題を出題し、受信した答案が正解であるか否かを判定し、正解した問題数や問題内容に応じて特典（例えばポイント）を付与する処理を実行する。
【００６２】
以上に説明したように、上述した一実施の形態では、食物や飲料物の商品に関連する商品関連情報を管理する商品関連情報管理サーバ１０が、消費者Ｘが使用する消費者端末２１からの依頼に応じて商品関連情報を提供し、提供した商品関連情報が示す商品の質問を含む質問情報を受け付け、受け付けた質問情報が示す商品の質問をその商品の商品メーカが使用する商品メーカ端末３１からの依頼に応じて提示し、商品メーカ端末３１に提示した商品の質問に対する回答を含む回答情報（メーカ回答情報）を商品メーカ端末３１から受け付け、商品の質問とその質問に対する回答とを含む回答情報を記憶し、消費者端末２２からの依頼に応じて、記憶されている回答情報に含まれている商品の質問をその商品の問題として出題するための商品問題出題画面を生成して提供し、商品問題出題画面を提供した消費者端末２２からその商品問題出題画面により出題した商品の問題の答案を受け付け、受け付けた答案と正解とを照合して答案が正解であるか否かを判定し、正解であると判定したことに応じて、商品問題出題画面を提供した消費者端末２２を使用する消費者Ｚに特典を付与する構成としているので、食品などの商品に関連する商品関連情報を提供するシステムの消費者の利用意欲を高めることができるようになる。
【００６３】
すなわち、商品関連情報管理サーバ１０が、消費者に対して商品の問題を出題し、正解した場合に特典を付与する処理を実行する構成としているので、商品関連情報の提供に関連して、消費者にとって有用なサービスを提供することが可能となり、システム１００に付加価値を与えることができるようになる。従って、消費者におけるシステム１００の利用意欲が向上されることが期待できるようになる。
【００６４】
言い換えると、商品関連情報管理サーバ１０によって提供される商品問題出題画面に表示されている商品の問題に消費者端末２２を利用して答えることによって、消費者端末２２を使用する消費者Ｚは、特典を得ることができるようになる。従って、消費者によるシステム１００の利用意欲を高めることができるようになり、システム１００の稼働率を向上させることができるようになる。
【００６５】
また、商品関連情報管理サーバ１０によって提供される商品問題出題画面に表示されている商品の問題は、該当商品について疑問を持った他の消費者によってされた質問であるため、出題された消費者にとっても興味深い事柄であることが期待でき、その消費者にとって有用なサービスを提供することが可能となる。
【００６６】
また、上述した実施の形態では、商品関連情報管理サーバ１０が、消費者端末２２からの消費者コードを提示した依頼に応じて、メーカ回答情報格納ＤＢ１３に記憶されている回答情報のうち、提示された消費者コードを含む回答情報以外の回答情報を選択し、選択した回答情報に含まれている商品の質問をその商品の問題として出題するための商品問題出題画面を生成する構成とされているので、消費者自身の質問が問題とされたものを出題してしまうことを防止することができ、他の消費者の質問が問題とされているものを確実に出題することが可能となる。
【００６７】
また、上述した実施の形態では、商品関連情報管理サーバ１０が、消費者端末２２からの消費者コードを提示した依頼に応じて、メーカ回答情報格納ＤＢ１３に記憶されている回答情報のうち、提示された消費者コードを出題済消費者情報に含む回答情報以外の回答情報を選択し、選択した回答情報に含まれている商品の質問をその商品の問題として出題するための商品問題出題画面を生成する構成としているので、同じ消費者に対して同じ問題が重複して出題されてしまうことを防止することができる。
【００６８】
また、上述した実施の形態において、商品関連情報管理サーバ１０が、問題の正解数に応じたポイント数のポイントを特典として付与し、特典の付与対象の消費者に対応付けされているポイント数を更新する処理を行う構成とした場合には、問題の正解数に応じて特典を付与することが可能となる。
【００６９】
また、上述した実施の形態において、商品関連情報管理サーバ１０が、正解した問題に応じて予め定められているポイント数のポイントを特典として付与し、特典の付与対象の消費者に対応付けされているポイント数を更新する処理を行う構成とした場合には、問題の難易度などに応じて定められた特典を付与することが可能となる。
【００７０】
なお、上述した実施の形態では、商品問題出題画面に答案を入力する答案入力領域３０２ｃを設ける構成としていたが、商品問題出題画面に商品の問題の正解を含む複数の答案候補を表示する答案候補表示領域を設ける構成としてもよい。この場合、例えば、商品関連情報管理サーバ１０は、質問に対する回答を受信したときに（ステップＳ２０７）、その回答を正解とし、その正解となる答案候補と、予め蓄積されている不正解答案候補のうち１又は２以上の不正解答案候補とを含むメーカ回答情報を保存するようにすればよい。そして、商品関連情報管理サーバ１０は、ステップＳ３０７にて正解となる答案候補を含む複数の答案候補の中から選択された答案（選択肢番号などでもよい）を受信するようにすればよい。なお、不正解答案候補は、回答を作成する商品メーカ、あるいはシステム管理者が作成しておくようにすればよい。なお、検索システムを用いて類似質問の回答から自動的に不正解答案候補を決定するようにしてもよい。
【００７１】
また、上述した実施の形態では、商品関連情報管理サーバ１０が、受け付けた答案と正解とが一致していたときにその答案が正解であると判定するものとしていたが、受け付けた答案と正解との適合率が所定値（例えば９０％）以上であったときに、答案が正解であると判定するようにしてもよい。この場合、例えば、検索エンジンなどを用いて答案と正解との適合率を算出するようにすればよい。このように構成すれば、正解が文章である場合などについても対応可能となる。
【産業上の利用可能性】
【００７２】
本発明によれば、食品などの商品に関連する商品関連情報を提供するシステムの消費者の利用意欲を高めるのに有用である。
【図面の簡単な説明】
【００７３】
【図１】本発明の一実施の形態に係る商品関連情報管理システムの構成の例を示すブロック図である。
【図２】商品関連情報の例を示す説明図である。
【図３】商品関連情報提供処理（商品質問情報収集処理を含む。）の例を示すフローチャートである。
【図４】商品関連情報閲覧画面の例を示す説明図である。
【図５】商品関連情報閲覧画面の例を示す説明図である。
【図６】商品質問情報の例を示す説明図である。
【図７】メーカ回答情報収集処理の例を示すフローチャートである。
【図８】回答入力画面の例を示す説明図である。
【図９】回答入力画面の例を示す説明図である。
【図１０】メーカ回答情報の例を示す説明図である。
【図１１】商品問題提供処理の例を示すフローチャートである。
【図１２】商品問題出題画面の例を示す説明図である。
【図１３】商品問題出題画面の例を示す説明図である。
【符号の説明】
【００７４】
１０        商品関連情報管理サーバ
１１        商品関連情報格納ＤＢ
１２        商品質問情報格納ＤＢ
１３        メーカ回答情報格納ＤＢ
２１〜２Ｎ  消費者端末
３１〜３Ｎ  商品メーカ端末
４０        通信ネットワーク
１００      商品関連情報管理システム
【図１】
0005068195.tif 000002
【図２】
0005068195.tif 000003
【図３】
0005068195.tif 000004
【図４】
0005068195.tif 000005
【図５】
0005068195.tif 000006
【図６】
0005068195.tif 000007
【図７】
0005068195.tif 000008
【図８】
0005068195.tif 000009
【図９】
0005068195.tif 000010
【図１０】
0005068195.tif 000011
【図１１】
0005068195.tif 000012
【図１２】
0005068195.tif 000013
【図１３】
0005068195.tif 000014